(57)【要約】【課題】ＣＤ−ＲＯＭ（Ｒ／ＲＷ）やＤＶＤ±（Ｒ／ＲＷ）等の情報を記録及び再生する装置にディスク駆動用として使用されるブラシレスモータにおいて、高速で長時間運転を行う場合に含油メタル軸受部から油漏れが発生するという課題を解決し、高速回転時に於いても高い信頼性を長時間維持できる軸受装置を備えたモータを提供することを目的とする。【解決手段】ブラケット４のバ−リング加工部１１の端面１７とメタルホルダ−１４の円筒部１５の他方の端面１６との間に配設した円環状の弾性体１８を押圧して両端面を突き合わせることにより、突き合わせ面の隙間からのオイル漏れを防ぐことができる。【選択図】図１ 
2005348570.tif 000002
【特許請求の範囲】
【請求項１】
中央部に軸受ハウジングを構成するバ−リング加工部と、モ−タ取付の取付ベ−ス部とが一体となった磁性材からなるブラケット、前記ブラケットの前記バ−リング加工部の内側にその全長の一部を圧入固定された含油メタル、前記ブラケットの前記バ−リング加工部の外側に配置され、ステ−タコアに絶縁体を介して銅線が巻装された電機子、さらに、中央部にシャフトを固定したフレ−ム、前記フレ−ムの内周に固定され円周方向に多極着磁を施された円筒状のロータマグネットとを備え、円筒部とこの円筒部の一方の端部より内径側に延設された端面部とからなるメタルホルダ−を、前記フレ−ムの天面より軸方向に隙間を隔てて前記端面部を対向させ、前記含油メタルの外周と前記メタルホルダ−の円筒部との間に隙間を隔てて、前記ブラケットのバ−リング加工部の端面と前記メタルホルダ−の円筒部の他方の端面とを突き合わせる様に前記ステ−タコアの内径部に圧入固定してなるブラシレスモータに於いて、前記ブラケットのバ−リング加工部の端面と前記メタルホルダ−の円筒部の他方の端面との間に円環状の弾性体を配設し、この弾性体を押圧して前記両端面を突き合わせたことを特徴とするブラシレスモータ。
【請求項２】
弾性体が石油合成ゴム系のニトリルゴムである請求項１記載のブラシレスモータ。
【発明の詳細な説明】
【技術分野】
【０００１】
本発明は、主としてＣＤ−ＲＯＭ（Ｒ／ＲＷ）やＤＶＤ±（Ｒ／ＲＷ）等の情報を記録及び再生する装置にディスク駆動用として使用されるブラシレスモータ（以下モータと略す）に関するものであり、特にモータの軸受装置に関するものである。
【背景技術】
【０００２】
近年、ＣＤ−ＲＯＭ（Ｒ／ＲＷ）やＤＶＤ±（Ｒ／ＲＷ）等の情報を記録及び再生するディスクを回転駆動するモータでは低価格なるコストの要望により、多孔質なる金属から形成された含油メタルが一般的な軸受手段として使用されている（特許文献１の従来の技術参照）。
【０００３】
図２は従来のモータの構造を示す断面図である。図２において、２１は回転伝達を行う出力軸、２２は含油メタル、２３は含油メタルを保持するハウジング、２４は回転子、２５は固定子、２６はプリント基板から成るブラケットである。モータは回転子２４と固定子２５の間に順次発生する磁気力により回転力を得、回転子２４の中央に固定された出力軸２１が、前記含油メタル２２と、前記ブラケット２６に固定されたハウジング２３とから構成された軸受装置により回転自在に支承され、精度の良い回転を外部に伝達する。
【０００４】
しかし、ＣＤ−ＲＯＭ（Ｒ／ＲＷ）やＤＶＤ±（Ｒ／ＲＷ）等の情報を記録及び再生媒体用機器の高速化に伴い、軸受手段の長期的な信頼性のマージンが少なくなり、軸受手段を構成している含油メタルの保油構造の必要性、及び、含油メタルに含有されている油の飛散対策などが重要な課題になってきている。
【０００５】
即ち、上記のような従来の構成では、含油メタル外周がハウジングで密閉されているため、出力軸が回転する時に出力軸と含油メタルの接触部に発生する圧力により、含油メタルの端面への圧力が増大し、含油メタル端面にオイルが吹き出し、特に回転子の天面側ではこの内部天面に付着する。さらに、回転子に付着したオイルは遠心力により回転子の内部天面をラジアル方向に拡散し、含油メタルには回帰しないため含油メタルに保持されたオイルが減少し正常な潤滑作用が働かなくなり、精度の良い回転伝達が行われないという課題を有していた。
【０００６】
そこで出願人は、コストの削減を図りながら含油メタル端面へのオイルの吹き出しを少なくし、精度の良い回転伝達を長時間維持できるモータの軸受装置、及びこの装置を備えた優れたモータを提供することを目的として、含油メタルとハウジングの圧入部の回転子の天面側に、含油メタルの外周を密閉しない部分を設ける事により含油メタルの端面への圧力を低下させ、含油メタル端面へのオイルの吹き出しを少なくでき、精度の良い回転伝達を長時間維持できる軸受構成のモータを提案した（特許文献１参照）。
【０００７】
このモータの構成を図３に示す。図３において３１は出力軸、３２は含油メタル、３５はブラケット、３３はハウジング、３４は回転子である。ハウジング３３をブラケット３５と一体に形成し、回転子３４の天面側に、含油メタル保持部３６の寸法を含油メタル３２の全長の１／２から４／５の大きさとすることで、回転子３４側の含油メタル３２の外周を開放している。この構成により、含油メタル端面へのオイルの吹き出しを抑制でき、併せてブラケットとハウジングを一体に形成することにより、モータ構成部品数を削減できるという作用を有するものである。
【０００８】
しかしながら、ＣＤ−ＲＯＭ（Ｒ／ＲＷ）やＤＶＤ±（Ｒ／ＲＷ）等の機器の激烈な高
速化に伴い、ディスクのアンバランスによる軸受内部のラジアル方向及び軸受端面方向の圧力は予想以上に大きなものとなった。そして上記第２の従来例の構成では、この圧力により開放された含油メタルの外周並びに軸受端面から油が流出し、長寿命化の要求に対応が困難となるという課題が生じてきた。
【０００９】
そこで、出願人は含油メタル外周の開放された部分に、含油メタルの端面及び外周と隙間をもたせて円筒形状のカバ−を取り付けることにより、含油メタルの端面から押し出された油が回転中に飛散しても、カバ−が油飛散防止の壁となり、さらに、含油メタルの外周とカバ−の円筒部との間の隙間により、円筒部に飛散してきた含油メタルの油を、その隙間を介して含油メタルに戻す油の回収構造を提案した（特許文献２参照）。
【００１０】
上記第３の従来例のモータの構成を図４に示す。図４において、４１は出力軸、４２は含油メタル、４３は回転子、４６はバ−リング加工部４５とモ−タの取付ベ−ス部４４とが一体的に形成されたブラケットである。ブラケット４６のバ−リング加工部４５の内周部には含油メタル４２が外周の一部を解放した状態で固定され、バ−リング加工部４５の外周部にはステータコア４７が固定されている。そして含油メタル４２の端面及び外周と隙間をもたせた円筒部５０とこの円筒部の一方の端部より内径側に延設された端面部５１とからなる円筒形状のメタルホルダ−５２（カバー）がブラケット４６のバ−リング加工部４５の端面とメタルホルダ−５２の円筒部５０の他方の端面とを突き合わせる様にステータコア４７の内周部に圧入固定されている。
【特許文献１】特開平９−２９４３５０号公報（第２−３頁、図３、図４）
【特許文献２】特開２００２−２６２５４０号公報（第４−５頁、図1）
【発明の開示】
【発明が解決しようとする課題】
【００１１】
しかしながら、上記従来の構成では、メタルホルダ−とブラケットのバ−リング加工部のそれぞれの端面を理想的な平面に仕上げることは困難であるので、両端面の突き合わせ面には微少な隙間が生じることは避けられない。また、メタルホルダ−は積層鉄心により形成されたステ−タコアの内径に固定されるので、上記突き合わせ面の隙間から積層鉄心の各鉄心間の隙間に毛細管現象により油が流出する虞があった。このためモ−タの運転により、この隙間から徐々に含油メタルの油が流失し、長時間にわたり十分な信頼性を維持することが困難であるという課題があった。
【００１２】
本発明は、このような従来の課題を解決するものであり、精度の良い回転伝達を高速回転時に於いても長時間維持できるモータの軸受装置、及びこの装置を備えた優れたモータを安価に提供することを目的とする。
【課題を解決するための手段】
【００１３】
上記課題を解決するために本発明は、ブラケットのバ−リング加工部の端面とメタルホルダ−の円筒部の他方の端面との間に円環状の弾性体を配設し、この弾性体を押圧して前記両端面を突き合わせたことを特徴とするブラシレスモータである。
【発明の効果】
【００１４】
請求項１記載の発明によれば、ブラケットのバ−リング加工部の端面とメタルホルダ−の円筒部の他方の端面との間に圧縮された弾性体が介在するので、より高い密閉構造となり、含油メタルからブラケットのバ−リング加工部の端面とメタルホルダ−の円筒部の他方の端面と突き合わせ面の隙間からのオイル漏れを防ぐことができるという有利な効果が得られる。
【００１５】
また、請求項２記載の発明によれば、信頼性が高く寿命が長いモータが得られるもので
ある。
【発明を実施するための最良の形態】
【００１６】
本発明の請求項１に記載の発明は、中央部に軸受ハウジングを構成するバ−リング加工部と、モ−タ取付の取付ベ−ス部とが一体となった磁性材からなるブラケット、前記ブラケットの前記バ−リング加工部の内側にその全長の一部を圧入固定された含油メタル、前記ブラケットの前記バ−リング加工部の外側に配置され、ステ−タコアに絶縁体を介して銅線が巻装された電機子、さらに、中央部にシャフトを固定したフレ−ム、前記フレ−ムの内周に固定され円周方向に多極着磁を施された円筒状のロータマグネットとを備え、円筒部とこの円筒部の一方の端部より内径側に延設された端面部とからなるメタルホルダ−を、前記フレ−ムの天面より軸方向に隙間を隔てて前記端面部を対向させ、前記含油メタルの外周と前記メタルホルダ−の円筒部との間に隙間を隔てて、前記ブラケットのバ−リング加工部の端面と前記メタルホルダ−の円筒部の他方の端面とを突き合わせる様に前記ステ−タコアの内径部に圧入固定してなるブラシレスモータに於いて、前記ブラケットのバ−リング加工部の端面と前記メタルホルダ−の円筒部の他方の端面との間に円環状の弾性体を配設し、この弾性体を押圧して前記両端面を突き合わせたことを特徴とするブラシレスモータであり、ブラケットのバ−リング加工部の端面とメタルホルダ−の円筒部の他方の端面との間に圧縮された弾性体が介在するので、より高い密閉構造となり含油メタルからブラケットのバ−リング加工部の端面とメタルホルダ−の円筒部の他方の端面と突き合わせ面の隙間からのオイル漏れを防ぐことができるという作用を有する。
【００１７】
請求項２に記載の発明は弾性体が石油合成ゴム系のニトリルゴムとしたものであり、耐熱性、耐油性、耐磨耗性にすぐれた弾性体を用いることによって、信頼性が高く寿命が長いモータが得られるという作用を有する。
【００１８】
以下本発明を実施するための最良の形態について、図面を参照して説明する。
【００１９】
（実施の形態１）
図１において１は回転伝達を行うシャフトである。２はフレ−ムであり、円周方向に多極着磁されたリング状のロ−タマグネット３がフレ−ム２の内周に圧入又は接着固定されている。そして、フレ−ム２の中央部にはバ−リング加工が施されシャフト１が直接圧入される。このようにして、回転子１０はシャフト１、フレ−ム２、そして、ロ−タマグネット３から構成されている。
【００２０】
ブラケット４は磁性材からなる材料でプレス工法によって形成され、ほぼ中央部に段階的な突状のバ−リング加工部１１をもっている。このバ−リング加工部１１は軸受手段を収容する軸受ハウジングの機能として働く。そして、ブラケット４は軸受ハウジングを構成するバ−リング加工部１１と、モ−タ取付のための取付ベ−ス部１２とが一体的に構成されている。このようにして、バ−リング加工部１１と取付ベ−ス部１２とが一体的に構成されているため、バ−リング加工部１１に対する取付ベ−ス部１２の直角度を精度良く形成することが容易となる。
【００２１】
ブラケット４のバ−リング加工部１１の内側にはシャフト１を回転自在に支持するため、含油メタル５が圧入固定される。
【００２２】
一方、ブラケット４のバ−リング加工部１１の外側には、ステ−タコア８に樹脂の絶縁体を介してステ−タコイル６が巻装されたステ−タ巻線組立体が圧入固定される。
【００２３】
さらに、モ−タを駆動及び制御するための回路の少なくとも一部を実装したプリント基板７が、取付ベ−ス部１２に両面テープ（図示せず）によって接着固定されている。ステ
−タ巻線組立体のステ−タコイル６の巻端はプリント基板７の上に配線されて、ステ−タ９を構成している。
【００２４】
ステ−タコア８の内径側には、含油メタル５の端面及び外周と隙間をもたせた位置に円筒部１５とこの円筒部１５の一方の端部より内径側に延設された端面部１３とからなる円筒形状のメタルホルダ−１４が、端面部１３をフレ−ム２の天面より軸方向に隙間をもたせた位置に、メタルホルダ−１４の円筒部１５が圧入固定されている。
【００２５】
以上の構成は上記第３の従来例と同様である。本実施の形態１に於いては、ブラケット４のバ−リング加工部１１の端面とメタルホルダ−１４の円筒部１５の他方の端面１６との間に円環状の弾性体１８を配設し、この弾性体を押圧して前記両端面を突き合わせた構成が上記第３の従来例との相違点である。
【００２６】
上記構成によりブラケット４のバ−リング加工部１１の端面１７とメタルホルダ−１４の円筒部１５の他方の端面１６との間に圧縮された弾性体１８が介在するので、より高い密閉構造となり、ブラケット４のバ−リング加工部１１の端面１７とメタルホルダ−１４の円筒部１５の他方の端面１６との突き合わせ面の隙間から含油メタル５のオイルが漏れるのを防ぐことができる。
【００２７】
（実施の形態２）
図１において弾性体１８は、丸友ゴム製作所で作られた石油合成ゴム系のニトリルゴムから構成されている。
【００２８】
そしてこの実施例によれば信頼性が高く寿命が長いモータが得られることができる。
【００２９】
なお、以上の説明では、弾性体をシリコン系の合成ゴムで構成した例で説明したが、その他の石油合成ゴム系のニトリルゴムについても同様に実施可能である。
【産業上の利用可能性】
【００３０】
本発明の軸受構成を備えるブラシレスモ−タは、ＣＤ−ＲＯＭ（Ｒ／ＲＷ）やＤＶＤ±（Ｒ／ＲＷ）等の情報を記録及び再生する装置にディスク駆動用として使用されるブラシレスモータとして有用である。
【図面の簡単な説明】
【００３１】
【図１】本発明の実施の形態１及び実施の形態２によるモータの構造を示す断面図
【図２】第１の従来のモータの構造を示す断面図
【図３】第２の従来のモータの構造を示す断面図
【図４】第３の従来のモータの構造を示す断面図
【符号の説明】
【００３２】
１、２１、３１、４１  シャフト（出力軸）
２  フレーム
３  ロータマグネット
４、２６、３５、４６  ブラケット
５、２２、３２、４２  含油メタル
６  ステ−タコイル
７  プリント基板
８、４７  ステータコア
９  ステ−タ
１０、２４、３４、４３  回転子
１１、３３、４５  バーリング加工部（ハウジング）
１２、４４  取り付けベース部
１３、５１  端面部
１４、５２  メタルホルダ−（カバー）
１５、５０  円筒部
１６  円筒部の他方の端面
１７  バ−リング加工部の端面
１８  弾性体
２０  圧入内径部
２３  軸受ハウジング
２５  固定子
【図１】
2005348570.tif 000003
【図２】
2005348570.tif 000004
【図３】
2005348570.tif 000005
【図４】
2005348570.tif 000006